【手続補正書】
【提出日】平成19年7月19日(2007.7.19)
【手続補正１】
【補正対象書類名】明細書
【補正対象項目名】特許請求の範囲
【補正方法】変更
【補正の内容】
【特許請求の範囲】
【請求項１】  湿式マット機で被覆繊維マットを製造する方法において、繊維を含有する水性スラリーを、浸透性形成移動ベルトの上面に連続的に堆積し、部分的に脱水し、乾燥させて、乾燥不織布繊維マットを生成する方法であって、改良点は、湿潤ウェブを部分的に脱水させた後、該ウェブ上に、高いパーセンテージの空気および約８３．３３ｇ／ｌより低い密度を有する泡沫もしくは気泡を塗布すること、および所定の速度で前記泡沫を塗布して１つの表面に被覆を有する乾燥マットを生成することを含む、方法。
【請求項２】  最初に、部分的に脱水した前記湿潤ウェブに水性接着剤を塗布してから、前記泡沫を塗布する、請求項１に記載の方法。
【請求項３】  前記繊維の少なくとも大部分は、ガラス繊維であり、前記泡沫は、少なくとも約０．３７ＣＭＭ／ｍ２の通気率を有する乾燥被覆マットを生成するように選択および塗布される、請求項１に記載の方法。
【請求項４】  前記泡沫は、少なくとも約０．９ＣＭＭ／ｍ２の通気率を有する乾燥被覆マットを生成するように選択および塗布される、請求項１に記載の方法。
【請求項５】  前記泡沫は、少なくとも約１．５ＣＭＭ／ｍ２の通気率を有する乾式被覆マットを生成するように選択および塗布される、請求項１に記載の方法。
【請求項６】  前記泡沫は、塗布される前に約３３．３〜６６．７ｇ／ｌの範囲の密度を有する、請求項１に記載の方法。
【請求項７】  前記泡沫は、塗布される前に約３３．３〜６６．７ｇ／ｌの範囲の密度を有する、請求項３に記載の方法。
【請求項８】  前記泡沫は、塗布される前に約３３．３〜６６．７ｇ／ｌの範囲の密度を有する、請求項４に記載の方法。
【請求項９】  前記泡沫は、塗布される前に約３３．３〜６６．７ｇ／ｌの範囲の密度を有する、請求項５に記載の方法。
【請求項１０】  前記泡沫は、１ｌの該泡沫をインホフコーンに投入し１０分間放置すると、該インホフコーンの底に形成される液体の量が約１０ｍｌ未満となるようなものである、請求項１に記載の方法。
【請求項１１】  前記泡沫は、１ｌの該泡沫をインホフコーンに投入し１０分間放置すると、該インホフコーンの底に形成される液体の量が約２ｍｌ未満となるようなものである、請求項６に記載の方法。
【請求項１２】  前記泡沫は、１lの該泡沫をインホフコーンに投入し１０分間放置すると、該インホフコーンの底に形成される液体の量が約２ｍｌ未満となるようなものである、請求項７に記載の方法。
【請求項１３】  前記泡沫は、１ｌの該泡沫をインホフコーンに投入し１０分間放置すると、該インホフコーンの底に形成される液体の量が約２ｍｌ未満となるようなものである、請求項８に記載の方法。
【請求項１４】  前記泡沫は、１ｌの該泡沫をインホフコーンに投入し１０分間放置すると、該インホフコーンの底に形成される液体の量が約２ｍｌ未満となるようなものである、請求項９に記載の方法。
【請求項１５】  前記泡沫は、１ｌの該泡沫をインホフコーンに投入し１０分間放置すると、該インホフコーンの底に形成される液体の量が約１０ｍｌ未満となるようなものである、請求項３に記載の方法。
【請求項１６】  前記泡沫は、良好な熱安定性を有するように選択され、乾燥および硬化中に完全に崩壊することがなく、前記マットの１つの表面上に発泡被覆を残す、請求項１に記載の方法。
【請求項１７】  前記泡沫は、良好な熱安定性を有するように選択され、乾燥および硬化中に完全に崩壊することがなく、前記マットの１つの表面上に発泡被覆を残す、請求項２に記載の方法。
【請求項１８】  請求項１に記載の方法により製造された通気性被覆不織布繊維マット。
【請求項１９】  請求項２に記載の方法により製造された通気性被覆不織布繊維マット。
【請求項２０】  請求項３に記載の方法により製造された通気性被覆不織布繊維マット。
【請求項２１】  請求項５に記載の方法により製造された通気性発泡被覆不織布繊維マット。
【請求項２２】  請求項６に記載の方法により製造された通気性発泡被覆不織布繊維マット。
【請求項２３】  請求項１０に記載の方法により製造された通気性発泡被覆不織布繊維マット。
【請求項２４】  請求項１５に記載の方法により製造された通気性発泡被覆不織布繊維マット。
【請求項２５】  請求項１６に記載の方法により製造された発泡被覆不織布繊維マット。
【請求項２６】  請求項１７に記載の方法により製造された発泡被覆不織布繊維マット。
【請求項２７】  請求項１に記載の方法により製造され、１つの表面に被覆を有する不織布繊維マットの第２の層に接着される第１の材料層を含む積層。
【請求項２８】  請求項２に記載の方法により製造され、１つの表面に被覆を有する不織布繊維マットの第２の層に接着される第１の材料層を含む積層。
【請求項２９】  前記第１の層は、石膏ボードである、請求項２７に記載の積層。
【請求項３０】  前記第１の層は、軽量断熱材である、請求項２７に記載の積層。
【請求項３１】  湿式マット機で通気性繊維マットを製造する方法において、繊維を含有する水性スラリーを、浸透性形成移動ベルトの上面に連続的に堆積し、部分的に脱水し、その後で過剰な水性接着剤を塗布し、該過剰な水性接着剤を除去して湿式接着ウェブを形成し、該湿式接着ウェブを乾燥させて乾式不織布繊維マットを生成する方法であって、改良点は、前記湿式接着ウェブを乾燥させる前に、前記ウェブ上に、高いパーセンテージの空気および８３．３ｇ／ｌより低い密度を有する泡沫であって、１０分間硬化後にインホフコーンの底に１０ｍｌ未満の液体を形成する泡沫を塗布すること、所定の速度で前記泡沫を塗布して１つの表面に被覆を有する乾式マットを生成すること、および前記発泡被覆マットを加熱して少なくとも部分的に前記泡沫を崩壊させて、少なくとも約０．３７ＣＭＭ／ｍ２の通気率を有する乾式マットを生成することを含む、方法。
【請求項３２】  前記繊維の少なくとも大部分は、ガラス繊維であり、前記泡沫は、少なくとも約０．９ＣＭＭ／ｍ２の通気率を有する乾式マットを生成するように所定の速度で塗布される、請求項３１に記載の方法。
【請求項３３】  前記泡沫は、少なくとも約１．２９ＣＭＭ／ｍ２の通気率を有する乾式マットを生成するように所定の速度で塗布される、請求項３２に記載の方法。
【請求項３４】  前記泡沫は、塗布機の直前では４０ｇ／ｌ未満の密度を有する、請求項３１に記載の方法。
【請求項３５】  前記泡沫は、塗布機の直前では４０ｇ／ｌ未満の密度を有する、請求項３２に記載の方法。
【請求項３６】  前記泡沫は、塗布機の直前では４０ｇ／ｌ未満の密度を有する、請求項３３に記載の方法。
【請求項３７】  前記インホフコーンの底に形成される液体の量は、約２ｍｌ未満である、請求項３１に記載の方法。
【請求項３８】  前記インホフコーンの底に形成される液体の量は、約２ｍｌ未満である、請求項３５に記載の方法。
【請求項３９】  前記インホフコーンの底に形成される液体の量は、約２ｍｌ未満である、請求項３２に記載の方法。
【請求項４０】  前記インホフコーンの底に形成される液体の量は、約２ｍｌ未満である、請求項３３に記載の方法。
【請求項４１】  前記インホフコーンの底に形成される液体の量は、約２ｍｌ未満である、請求項３４に記載の方法。
【請求項４２】  請求項３１に記載の方法により製造された通気性被覆不織布繊維マット。
【請求項４３】  請求項３２に記載の方法により製造された通気性被覆不織布繊維マット。
【請求項４４】  請求項３３に記載の方法により製造された通気性被覆不織布繊維マット。
【請求項４５】  請求項３４に記載の方法により製造された通気性発泡被覆不織布繊維マット。
【請求項４６】  請求項３５に記載の方法により製造された通気性発泡被覆不織布繊維マット。
【請求項４７】  請求項３６に記載の方法により製造された通気性発泡被覆不織布繊維マット。
【請求項４８】  請求項３７に記載の方法により製造された通気性発泡被覆不織布繊維マット。
【請求項４９】  請求項３１に記載の方法により製造され、１つの表面に被覆を有する不織布繊維マットの第２の層に接着される第１の材料層を含む積層。
【請求項５０】  請求項３２に記載の方法により製造され、１つの表面に被覆を有する不織布繊維マットの第２の層に接着される第１の材料層を含む積層。
【請求項５１】  前記第１の層は、石膏ボードである、請求項４９に記載の積層。
【請求項５２】  前記第１の層は、軽量断熱材である、請求項４９に記載の積層。
【請求項５３】  前記泡沫は、前記被覆に付加的な機能性を与えるために不溶性粒子も含有する、請求項１に記載の方法。
【請求項５４】  前記泡沫は、前記被覆に付加的な機能性を与えるために不溶性粒子も含有する、請求項２に記載の方法。
【請求項５５】  前記泡沫は、前記被覆に付加的な機能性を与えるために不溶性粒子も含有する、請求項３に記載の方法。
【請求項５６】  前記泡沫は、前記被覆に付加的な機能性を与えるために不溶性粒子も含有する、請求項３１に記載の方法。
【請求項５７】  前記泡沫は、図３に示すような泡沫塗布機により塗布される、請求項１に記載の方法。
【請求項５８】  前記泡沫は、図３に示すような泡沫塗布機により塗布される、請求項７に記載の方法。
【請求項５９】  前記泡沫は、図３に示すような泡沫塗布機により塗布される、請求項３１に記載の方法。
【請求項６０】  前記泡沫は、図３に示すような泡沫塗布機により塗布される、請求項３３に記載の方法。
【請求項６１】  前記泡沫は、図３に示すような泡沫塗布機により塗布される、請求項３６に記載の方法。